(57)【要約】【課題】原稿の画像を読み取って得た画像データを圧縮しながらも、記録媒体の長さに応じて適切に画像を形成することが可能な技術を提供する。【解決手段】ＣＰＵ６０は、用紙へ最初に形成される先頭ラインの画像データと、先頭ライン以外の予め指定された指定ラインの画像データについては、圧縮せずにＲＡＭ６２に記憶する。一方、先頭ライン及び指定ライン以外の非指定ラインの画像データについては、各ラインの直後に読み取ったラインの画像データとの差分データのみをＲＡＭ６２に記憶する。【選択図】図９
2008091967.tif 000002
【特許請求の範囲】
【請求項１】
原稿の画像を読み取って得た画像データのうち、記録媒体へ最初に形成される先頭ラインの前記画像データと、該先頭ライン以外の予め指定された指定ラインの前記画像データとをそれぞれ、単独で元の該画像データを形成可能なデータ形式で記憶領域に記憶する一方、前記先頭ライン及び前記指定ライン以外の各ラインである非指定ラインの前記画像データと、該非指定ラインよりも先に前記記録媒体に形成されるラインの前記画像データとの差分である差分データを抽出し、抽出した該差分データを前記記憶領域に記憶する第１のデータ圧縮手段と、
前記記憶領域に記憶された前記画像データと前記差分データとに基づいて、各ラインの前記画像データを順次伸張するデータ伸張手段と、
該データ伸張手段によって伸張された前記画像データに基づいて前記記録媒体に画像を形成する画像形成手段と
を備えることを特徴とする画像形成システム。
【請求項２】
各ラインと交差する方向に沿った前記記録媒体の長さと、各ラインと交差する方向に沿った前記原稿の長さとを比較する比較手段と、
前記記録媒体の長さが前記原稿の長さよりも短いと前記比較手段が判定すると、前記記憶領域に記憶されている前記画像データ及び前記差分データから前記記録媒体の長さよりも長い領域におけるラインの前記画像データ及び前記差分データを破棄するデータ破棄手段と
を備えることを特徴とする請求項１記載の画像形成システム。
【請求項３】
前記先頭ラインの前記画像データを単独で元の該画像データを形成可能なデータ形式で前記記憶領域に記憶する一方、前記先頭ライン以外の各ラインの前記画像データと、該ラインよりも先に前記記録媒体に形成されるラインの前記画像データとの差分データを抽出し、抽出した該差分データを前記記憶領域に記憶する第２のデータ圧縮手段を備え、
前記第１のデータ圧縮手段は、
各ラインの画像を前記原稿から読み取った読取順序とは逆順序に従って前記記録媒体に形成する場合に作動し、
前記第２のデータ圧縮手段は、
各ラインの画像を前記読取順序に従って前記記録媒体に形成する場合に作動する
ことを特徴とする請求項１または請求項２記載の画像形成システム。
【請求項４】
予め決められた定型サイズを有する前記記録媒体の端部に対応するラインが前記指定ラインに設定されている
ことを特徴とする請求項１乃至請求項３いずれか記載の画像形成システム。
【請求項５】
前記原稿の一面における全ライン数よりも少ないライン数毎に前記指定ラインが設定されている
ことを特徴とする請求項１乃至請求項３いずれか記載の画像形成システム。
【請求項６】
原稿の画像を読み取って得た画像データのうち、記録媒体へ最初に形成される先頭ラインの前記画像データを単独で元の該画像データを形成可能なデータ形式で記憶領域に記憶する一方、前記先頭ライン以外の各ラインの前記画像データと、該ラインよりも先に前記記録媒体に形成されるラインの前記画像データとの差分である差分データを抽出し、抽出した該差分データを前記記憶領域に記憶するデータ圧縮手段と、
前記記憶領域に記憶された前記画像データと前記差分データとに基づいて、全ラインの前記画像データを伸張する全データ伸張手段と、
各ラインと交差する方向に沿った前記記録媒体の長さと、各ラインと交差する方向に沿った前記原稿の長さとを比較する比較手段と、
前記記録媒体の長さが前記原稿の長さと同等以上であると前記比較手段が判定すると、前記全データ伸張手段によって伸張された全ての前記画像データに基づいて前記記録媒体に画像を形成する第１の画像形成手段と、
前記記録媒体の長さが前記原稿の長さよりも短いと前記比較手段が判定すると、前記全データ伸張手段によって伸張された全ての前記画像データから前記記録媒体の長さよりも長い領域におけるラインの前記画像データを破棄し、残りの前記画像データに基づいて前記記録媒体に画像を形成する第２の画像形成手段と
を備えることを特徴とする画像形成システム。
【請求項７】
前記画像形成手段によって画像を形成された前記記録媒体を表裏反転し、前記画像形成手段に再度供給する再供給手段
を備えることを特徴とする請求項１乃至請求項６いずれか記載の画像形成システム。
【請求項８】
請求項１乃至請求項７いずれか記載の画像形成システムにおける各手段を備えた画像形成装置。
【請求項９】
請求項８記載の画像形成装置と、
原稿の画像を読み取って、画像データを取得し、取得した該画像データを前記画像形成装置に供給する画像読取手段と
を備えることを特徴とする複写装置。
【発明の詳細な説明】
【技術分野】
【０００１】
本発明は、原稿の画像を読み取って得た画像データを圧縮し、記録媒体への画像形成時に元の画像データに伸張する技術に関する。
【背景技術】
【０００２】
従来より、原稿の画像を読み取って得た画像データをＭＲ（Modified  Relative  element  address  designate）符号化してメモリに一旦記憶したのち、用紙への画像形成時に、元の画像データに伸張する画像形成装置が知られている。
【０００３】
より具体的には、この画像形成装置では、原稿の画像データのうち、原稿から最初に読み取ったラインの画像データを圧縮せずにメモリに記憶する一方、それ以降の各ラインの画像データについては、各ラインよりも先に読み取ったラインの画像データとの差分データのみをメモリに記憶する。
【０００４】
そして、用紙への画像形成時には、まず、非圧縮の画像データ（最初に読み取ったラインの画像データ）をバッファ領域へ読み出して用紙に画像を形成したのち、バッファ領域に差分データを順次上書きすることで他のラインの画像データを順次元どおりに伸張しつつ、用紙に画像を形成する。
【０００５】
ここで、用紙の一方の面に画像を形成したのち、他方の面にも画像を形成する場合には、一般的に、用紙の表裏が反転されるだけでなく、搬送方向に対する用紙の向きも反転されるため、他方の面に対しては、画像の読取順序とは逆順序で画像を形成しなければならない。
【０００６】
この場合、上述の画像形成装置では、最初に読み取ったライン以外は、差分データしかメモリに記憶していないため、圧縮した画像データを読取順序とは逆順序に従って伸張することができない。
【０００７】
そこで、読取順序に従って用紙に形成すべき画像の画像データをＭＲ符号化してメモリに記憶する一方、読取順序とは逆順序に従って用紙に形成すべき画像の画像データについては、圧縮せずに元の画像データのままメモリに記憶する画像形成装置が考案されている（特許文献１を参照）。
【特許文献１】特開２００４−２０９９２４号公報
【発明の開示】
【発明が解決しようとする課題】
【０００８】
ところで、複数の原稿の画像を順次読み取って、読み取った順序どおりに繰り返し用紙の両面に画像を形成する場合、画像形成装置は、全ての原稿から読み取って得た画像データをメモリに記憶しなければならない。
【０００９】
しかしながら、特許文献１の画像形成装置では、用紙の一方の面に形成する画像の画像データを圧縮しないため、これに起因して、一度に記憶できる画像データの量が少なくなってしまうという問題点がある。
【００１０】
ここで、この問題点の解決策として、読取順序とは逆順序に従って記録用紙に形成すべき画像データについては読取順序とは逆順序に従ってＭＲ符号化し、最後に読み取ったラインの画像データから順に元の画像データに伸張していくという方法がある。
【００１１】
しかしながら、この方法を用いた場合には、原稿の長さに比べて用紙の長さが短いとき、用紙の表裏に形成される画像の上端位置を合わせるためには、最初の方に読み取ったラインの画像データを用紙に形成せずに破棄する必要がある。この場合、途中のラインから伸張することとなるが、直前のラインが圧縮されたデータであるため、差分データを用いた伸張ができず、途中のラインから伸張することができないという問題点がある。
【００１２】
そこで、本発明は、上記問題点に鑑み、原稿の画像を読み取って得た画像データを圧縮しながらも、記録媒体の長さに応じて適切に画像を形成することが可能な技術を提供することを目的とする。
【課題を解決するための手段】
【００１３】
上記目的を達成するためになされた第１の発明である画像形成システムは、原稿の画像を読み取って得た画像データのうち、記録媒体へ最初に形成される先頭ラインの画像データと、該先頭ライン以外の予め指定された指定ラインの画像データとをそれぞれ、単独で元の該画像データを形成可能なデータ形式で記憶領域に記憶する一方、先頭ライン及び指定ライン以外の各ラインである非指定ラインの画像データと、該非指定ラインよりも先に記録媒体に形成されるラインの画像データとの差分である差分データを抽出し、抽出した該差分データを記憶領域に記憶する第１のデータ圧縮手段と、記憶領域に記憶された画像データと差分データとに基づいて、各ラインの画像データを順次伸張するデータ伸張手段と、該データ伸張手段によって伸張された画像データに基づいて記録媒体に画像を形成する画像形成手段とを備える。
【００１４】
この画像形成システムでは、画像データを圧縮する際に、先頭ラインの画像データだけでなく、指定ラインの画像データも単独で元の画像データを形成可能なデータ形式で記憶領域に記憶するため、指定ラインから画像データの伸張を開始することができる。
【００１５】
つまり、この画像形成システムによれば、例えば、記録媒体の長さに基づいて指定ラインの画像データから伸張を開始することが可能となり、適切に画像を形成することができる。
【００１６】
尚、記憶領域は、画像形成システムに確保されていてもよいし、画像形成システム以外に確保されていてもよい。
また、第１のデータ圧縮手段は、先頭ライン及び指定ラインの画像データを圧縮せずに記憶領域に記憶してもよいし、先頭ライン及び指定ラインの画像データのみで伸張可能なデータ形式に圧縮してもよい。
【００１７】
ここで、この画像形成装置は、各ラインと交差する方向に沿った記録媒体の長さと、各ラインと交差する方向に沿った原稿の長さとを比較する比較手段と、記録媒体の長さが原稿の長さよりも短いと比較手段が判定すると、記憶領域に記憶されている画像データ及び差分データから記録媒体の長さよりも長い領域におけるラインの画像データ及び差分データを破棄するデータ破棄手段とを備えてもよい。
【００１８】
この場合、余分な画像データを破棄することで、余分な画像データに従って画像を形成してしまうことを防止できる。
また、この画像形成装置は、先頭ラインの画像データを単独で元の該画像データを形成可能なデータ形式で記憶領域に記憶する一方、先頭ライン以外の各ラインの画像データと、該ラインよりも先に記録媒体に形成されるラインの画像データとの差分データを抽出し、抽出した該差分データを記憶領域に記憶する第２のデータ圧縮手段を備えてもよく、第１のデータ圧縮手段は、各ラインの画像を原稿から読み取った読取順序とは逆順序に従って記録媒体に形成する場合に作動し、第２のデータ圧縮手段は、各ラインの画像を読取順序に従って記録媒体に形成する場合に作動するとよい。
【００１９】
この場合、読取順序に従って画像を形成する際に、先頭ライン以外のラインの画像データについては差分データのみを記憶領域に記憶することになるため、その分多くの画像データを圧縮して記憶領域に記憶できる。
【００２０】
尚、指定ラインは、どのように設定されていてもよく、例えば、予め決められた定型サイズを有する記録媒体の端部に対応するラインが指定ラインに設定されていてもよい。
この場合、定型サイズの記録媒体に応じて適切に画像を形成できる。
【００２１】
また、原稿の一面における全ライン数よりも少ないライン数毎に指定ラインが設定されていてもよい。
この場合、記録媒体が定型外のサイズを有していても適切に画像を形成できる。
【００２２】
次に、第２の発明である画像形成システムは、原稿の画像を読み取って得た画像データのうち、記録媒体へ最初に形成される先頭ラインの画像データを単独で元の該画像データを形成可能なデータ形式で記憶領域に記憶する一方、先頭ライン以外の各ラインの画像データと、該ラインよりも先に記録媒体に形成されるラインの画像データとの差分である差分データを抽出し、抽出した該差分データを記憶領域に記憶するデータ圧縮手段と、記憶領域に記憶された画像データと差分データとに基づいて、全ラインの画像データを伸張する全データ伸張手段と、各ラインと交差する方向に沿った記録媒体の長さと、各ラインと交差する方向に沿った原稿の長さとを比較する比較手段と、記録媒体の長さが原稿の長さと同等以上であると比較手段が判定すると、全データ伸張手段によって伸張された全ての画像データに基づいて記録媒体に画像を形成する第１の画像形成手段と、記録媒体の長さが前記原稿の長さよりも短いと比較手段が判定すると、全データ伸張手段によって伸張された全ての画像データから記録媒体の長さよりも長い領域におけるラインの画像データを破棄し、残りの画像データに基づいて記録媒体に画像を形成する第２の画像形成手段とを備える。
【００２３】
この画像形成システムは、第１の発明と同様の効果を発揮する。しかも、先頭ライン以外のラインの画像データを全て圧縮するため、第１の発明より多くの画像データを記憶領域に記憶できる。
【００２４】
尚、第１，２の発明である画像形成システムはいずれも、画像形成手段によって画像を形成された記録媒体を表裏反転し、画像形成手段に再度供給する再供給手段を備えてもよい。
【００２５】
この場合、記録媒体の両面に適切に画像を形成できる。尚、再供給手段は、記録媒体を単に表裏反転するだけでもよいし、表裏反転とともに供給方向も反転させてもよい。
次に、第３の発明である画像形成装置は、上述の画像形成システムにおける各手段を備える。
【００２６】
この画像形成装置によれば、単体で上述の画像形成システムを実現し、上述の画像形成システムと同様の効果を発揮できる。
次に、第４の発明である複写装置は、請求項８記載の画像形成装置と、原稿の画像を読み取って、画像データを取得し、取得した該画像データを画像形成装置に供給する画像読取手段とを備える。
【００２７】
この複写装置によれば、原稿を複写するにあたって、上述の画像形成装置と同様の効果を発揮できる。
【発明を実施するための最良の形態】
【００２８】
以下に本発明の実施形態を図面と共に説明する。
[第１実施形態]
本第１実施形態では、少なくともスキャナ、プリンタ、複写装置として機能する多機能機器に本発明を適用する。尚、以下では、多機能機器の正面を基準にして方向を示す。
１．多機能機器の全体構成
図１は、本第１実施形態における多機能機器１（本発明における複写装置の一例）の正面斜視図である。
【００２９】
図１に示すように、多機能機器１は、当該多機能機器１の正面に位置する操作パネル２と、当該多機能機器１の上部に位置するスキャナ部３（本発明の画像読取手段の一例）と、当該多機能機器１の下部に位置するプリンタ部４（本発明の画像形成装置の一例）とを備える。
【００３０】
操作パネル２は、多機能機器１の状態などを示す情報を表示するためのディスプレイ５と、ユーザが多機能機器１の各種操作を行うための複数の操作ボタン６とから構成されている。
【００３１】
図２は、スキャナ部３の正面断面図である。
図２に示すように、スキャナ部３は、当該スキャナ部３の上部に位置するカバー部７と、当該スキャナ部３の下部に位置するフラットベッド部８とから構成されている。
【００３２】
そして、カバー部７は、当該カバー部７の左側上方に位置する原稿供給トレイ９と、当該カバー部７の左側に位置する原稿搬送装置１０と、当該カバー部７の右側に位置する原稿排出トレイ１１とを備える。
【００３３】
原稿搬送装置１０は、原稿供給トレイ９上に積載された原稿を一枚づつ当該原稿搬送装置１０内部に取り込んで、後述するフラットベッド部８の第１プラテンガラス１２上へ搬送したのち、原稿排出トレイ１１上へ排出する。
【００３４】
また、フラットベッド部８の読取ヘッド１４は、光源１５と、レンズやミラーなどの複数の光学素子１６と、イメージセンサ１７（本発明における画像読取手段の一例）とを当該読取ヘッド１４内部に備える。
【００３５】
より具体的には、光源１５は、フラットベッド部８の第１プラテンガラス１２及び第２プラテンガラス１３の上面に載置された原稿に光を照射する。また、複数の光学素子１６は、原稿からの反射光をイメージセンサ１７に集光する。また、イメージセンサ１７は、複数の光学素子１６によって集光された光から原稿の画像を読み取る。
【００３６】
ここで、図３は、フラットベッド部８の右断面図である。
図３に示すように、読取ヘッド１４は、正面側に軸受部１８を備える一方、背面側に１つのコロ１９を備える。
【００３７】
そして、軸受部１８には、第１プラテンガラス１２及び第２プラテンガラス１３の正面側下方にてフラットベッド部８の左側端部から右側端部に向かって水平に配設されたガイド軸２０が挿通されている。
【００３８】
一方、コロ１９は、第１プラテンガラス１２及び第２プラテンガラス１３の背面側にてフラットベッド部８の左側端部から右側端部に向かって水平に配設された第１ガイド部材２１と、第１プラテンガラス１２及び第２プラテンガラス１３の背面側下方にてフラットベッド部８の左側端部から右側端部に向かって水平に配設された第２ガイド部材２２との間に配設されている。
【００３９】
つまり、読取ヘッド１４は、フラットベッド部８の左側端部と右側端部との間を往復移動可能に第１プラテンガラス１２及び第２プラテンガラス１３の下方に架設されている。
尚、多機能機器１は、原稿搬送装置１０を作動させて原稿の画像を読み取る際には、読取ヘッド１４を第１プラテンガラス１２の直下に配置する一方（図２参照）、ユーザによって第２プラテンガラス１３の上面に載置された原稿の画像を読み取る際には、読取ヘッド１４を第２プラテンガラス１３の直下で左右方向に往復移動させる。
【００４０】
図４は、プリンタ部４の右断面図である。
図４に示すように、プリンタ部４は、当該プリンタ部４の下部に位置する給紙部３０と、当該プリンタ部４の中央部に位置する画像形成部３１（本発明における画像形成手段の一例）と、当該プリンタ部４の上部に位置する排紙部３２と、当該プリンタ部４の背部に位置する再給紙部３３（本発明における再供給手段の一例）とを備える。
【００４１】
給紙部３０は、給紙ローラ３７と、１対のレジストローラ３９とを備える。
画像形成部３１は、露光器４１と、感光体ドラム４６と、転写ローラ４４と、定着器４５とを備える。
【００４２】
より具体的には、露光器４１は、感光体ドラム４６にレーザ光線を照射して、感光体ドラム４６に静電潜像を形成する。また、感光体ドラム４６は、当該感光体ドラム４６に形成された静電潜像にトナーを付着させて、静電潜像をトナー像として現像する。また、転写ローラ４４は、搬送されてきた用紙４０の片面にトナー像を転写しつつ、用紙４０を定着器４５へ搬送する。また、定着器４５は、トナー像を用紙４０に熱定着させつつ、用紙４０を排紙部３２へ搬送する。
【００４３】
排紙部３２は、経路切替部材４７と、複数の排紙ローラ４９とを備える。
より具体的には、経路切替部材４７は、電磁アクチュエータ（図示せず）によって変位され、用紙４０を排紙ローラ４９、もしくは再給紙部３３へと案内する。また、排紙ローラ４９は、用紙４０をプリンタ部４の外部に配設された用紙排出トレイ５０へと案内する。
【００４４】
再給紙部３３は、第１再給紙ローラ５３と、複数の第２再給紙ローラ５４とを備える。
より具体的には、第１再給紙ローラ５３は、用紙４０をプリンタ部４の上部へ一旦搬送したのち、プリンタ部４の下部へ搬送する。複数の第２再給紙ローラ５４はそれぞれ、プリンタ部４の下部に搬送された用紙４０をレジストローラ３９へ搬送する。
【００４５】
つまり、再給紙部３３からレジストローラ３９へと再搬送された用紙４０は、給紙部３０からの搬送時に対して、当該用紙４０の表裏が反転しているとともに、搬送方向下流側だった当該用紙４０の端部が搬送方向上流側となっている。
【００４６】
図５は、多機能機器１の制御系統の構成ブロック図である。
図５に示すように、多機能機器１は、ＣＰＵ６０と、ＲＯＭ６１と、ＲＡＭ６２と、スキャナ制御部６３と、プリンタ制御部６４と、パネル制御部６５と、インターフェイス（Ｉ／Ｆ）部６６とを備え、これらがバス６７を介して相互に接続されている。
【００４７】
ＣＰＵ６０は、ＲＯＭ６１に記憶された各種プログラムに従って各種処理を実行する。
スキャナ制御部６３は、ＣＰＵ６０からの指令に従って、スキャナ部３の各部を制御する一方、スキャナ部３のイメージセンサ１７が読み取った画像の画像データをＣＰＵ６０へ出力する。
【００４８】
プリンタ制御部６４は、ＣＰＵ６０からの指令に従って、プリンタ部４の各部を制御する一方、プリンタ部４の給紙センサ６８の検出結果をＣＰＵ６０へ出力する。尚、給紙センサ６８は、１対のレジストローラ３９の用紙搬送方向の下流側に配設されている。そして、給紙センサ６８は、用紙４０を検出している間は、検出信号をＯＮし、用紙４０を未検出の間は、検出信号をＯＦＦするように構成されている。つまり、この検出信号のＯＦＦからＯＮへの変化は、給紙センサ６８が用紙４０における用紙搬送方向の下流側端部を検出した旨を示す。一方、この検出信号のＯＮからＯＦＦへの変化は、給紙センサ６８が用紙４０における用紙搬送方向の上流側端部を検出した旨を示す。
【００４９】
パネル制御部６５は、操作パネル２の操作ボタン６から入力される指令をＣＰＵ６０へ出力する一方、ＣＰＵ６０からの指令に応じた情報を操作パネル２のディスプレイ５に表示する。
【００５０】
また、Ｉ／Ｆ部６６は、多機能機器１の外部のパーソナルコンピュータ（ＰＣ）７０に接続され、ＣＰＵ６０とＰＣ７０との通信を確立する。
２．複写動作の概要
図６は、多機能機器１が、複数の原稿の片面にそれぞれ形成された画像を各用紙の両面に複写する動作の概要を示す説明図である。
【００５１】
図６に示すように、多機能機器１は、複数の原稿を原稿搬送装置１０に順次取り込み、イメージセンサ１７で各原稿の片面の画像を各ライン毎に順次読み取る。
そして、多機能機器１は、用紙排出トレイ５０上に積載される印刷物が頁順に並ぶようにするため、図６に示されるように、偶数番目に読み取った原稿（つまり、偶数頁）の画像を用紙の一方の面に形成したのちに、奇数番目に読み取った原稿（つまり、奇数頁）の画像を用紙の他方の面に形成する。但し、上述したように、多機能機器１では、用紙の表裏が反転される際に、用紙の上流側端部が下流側端部へと反転されるため、多機能機器１は、奇数番目に読み取った原稿の各ラインの画像を読取順序とは逆順序に従って用紙に形成する。
３．本発明に係る処理
以下、ＣＰＵ６０が実行する各種処理のうち、原稿に形成された画像を用紙に複写する複写処理について詳述する。尚、ここでは、簡単のために、２頁からなる原稿を用紙に複写する例を挙げて説明するが、それ以上の頁数である場合は、例えば、以下に示す処理を繰り返し実行することによって実現可能であるため、ここでは説明を省略する。
【００５２】
図７は、ＣＰＵ６０が実行する複写処理の流れを示すフローチャートである。尚、ＣＰＵ６０は、操作ボタン６が操作されて当該ＣＰＵ６０に複写が指令されると、本処理を実行する。
【００５３】
図７に示すように、本処理では、まず、原稿搬送装置１０を作動させ、各原稿の片面に形成された画像の読取を開始するとともに（Ｓ１００）、読み取った画像の画像データを補正するなどの読取画像処理を行う（Ｓ１０５）。そして、上述した複写の指令の際に、用紙の両面に画像を形成する旨の設定がユーザによってなされたか否かを判定する（Ｓ１１０）。
【００５４】
ここで、用紙の両面に画像を形成する場合（Ｓ１１０：Ｙｅｓ）、つまり、図６を用いて説明したような複写処理を行う場合には、後述する第１データ圧縮処理を実行して（Ｓ１１５）、各原稿における各ラインの画像データを圧縮する。
【００５５】
そして、用紙の搬送を開始し（Ｓ１２０）、図６にて説明した通り、まず第２頁目（偶数頁目）の原稿における各ラインの画像データを元どおりに伸張しながら、用紙の片面に画像を形成する（Ｓ１２５）。また、これに伴って、搬送方向に沿った用紙の長さを測定する（Ｓ１３０）。より具体的には、Ｓ１３０では、用紙の搬送速度と、給紙センサ６８が用紙の下流側端部を検出してから上流側端部を検出するまでの所要時間とに基づいて用紙の長さを測定する。
【００５６】
測定が終了すると、測定した用紙の長さが原稿の長さよりも短いか否かを判定し（Ｓ１３５）、用紙の長さが原稿の長さと同一もしくは長い場合には（Ｓ１３５：Ｎｏ）、後述のＳ１４５へ直ちに移行する。
【００５７】
一方、用紙の長さが原稿の長さよりも短い場合には（Ｓ１３５：Ｙｅｓ）、第１頁目（奇数頁目）の原稿における各ラインの画像データのうち、用紙の長さよりも長い領域における各ラインの画像データを破棄し（Ｓ１４０）、後述のＳ１４５へ移行する。つまり、図６にて説明したように、複数原稿を読み取って用紙の両面に画像を形成する際は、奇数頁目と偶数頁目とで画像形成の順序が逆となる。一方、見映えの観点から、奇頁目と偶頁目とでは画像の上端位置を表裏で同一にすることが求められる。ここで、奇数頁目と偶数頁目とで画像形成の順序が逆となり、かつ、用紙の長さが原稿の長さよりも短い場合、奇頁目と偶頁目とでは画像の上端位置を表裏で同一にするためには、奇頁目の下端部にある画像を一部破棄した上で画像形成を行う必要が生じることから、Ｓ１４０のような処理が実行される。
【００５８】
そして、Ｓ１４５では、第１頁目（奇数頁目）の原稿における各ラインの画像データを元どおりに伸張しながら、用紙の片面に画像を形成し、その後、本処理を終了する。
一方、Ｓ１１０で用紙の片面のみに画像を形成する場合には（Ｓ１１０：Ｎｏ）、後述する第２データ圧縮処理を実行して（Ｓ１５０）、各原稿における各ラインの画像データを圧縮する。
【００５９】
そして、用紙の搬送を開始し（Ｓ１５５）、第１頁目（奇数頁目）の原稿における各ラインの画像データを元どおりに伸張しながら、用紙の片面に画像を形成する（Ｓ１６０）。また、第２頁目（複数頁目）の原稿における各ラインの画像データを元どおりに伸張しながら、次の用紙の片面に画像を形成して、その後、本処理を終了する。
【００６０】
ここで、上述の複写処理にてＣＰＵ６０が行う画像データの圧縮及び伸張について詳述する。
まず、図８，９に示す例を参照して、ＣＰＵ６０が行う画像データの圧縮について詳述する。尚、図８は、画像の読取順序と形成順序とが同一である場合における各ラインの画像データの圧縮例を示し、図９は、画像の読取順序と形成順序とが逆である場合における各ラインの画像データの圧縮例を示す。ここで、読取順序と形成順序とが同一である場合とは、図６に示す２頁目及び４頁目に相当する状態であり、読取順序と形成順序とが逆である場合とは、図６に示す１頁目及び３頁目に相当する状態を指す。
【００６１】
上述の第１データ圧縮処理（Ｓ１１５）では、ＣＰＵ６０は、読取順序と形成順序とが同一である偶数頁の画像データについては図８に示すような圧縮処理を行う。
即ち、ＣＰＵ６０は、用紙へ最初に形成される先頭ライン（最初に読み取ったラインに対応）の画像データについては、圧縮せずにＲＡＭ６２に記憶する。一方、先頭ライン以降の各ラインの画像データについては、各ラインの直前に読み取ったラインの画像データとの差分である差分データを抽出し、差分データのみをＲＡＭ６２に記憶する。
【００６２】
更に、第１データ圧縮処理では、ＣＰＵ６０は、読取順序と形成順序とが逆である奇数頁の画像データについては図９に示すような圧縮処理を行う。尚、読取順序と形成順序とが逆である場合は、原稿の上端に対応する画像データから順に下端に向かってＭＲ符号化圧縮を行うのではなく、原稿の下端に対応する画像データから順に上端に向かってＭＲ符号化圧縮を行う。
【００６３】
即ち、ＣＰＵ６０は、用紙へ最初に形成される先頭ライン（最後に読み取ったラインに対応）の画像データと、先頭ライン以外の予め指定された指定ラインの画像データについては、圧縮せずにＲＡＭ６２に記憶する。一方、先頭ライン及び指定ライン以外の非指定ラインの画像データについては、各非指定ラインの直後に読み取ったライン（直前に形成されるラインに対応）の画像データとの差分データのみをＲＡＭ６２に記憶する。尚、指定ラインには、各種定型サイズの用紙の切れ目（端部：図１０参照）に対応するラインの直後のラインが設定されている。
【００６４】
また、上述の第２データ圧縮処理（Ｓ１５０）において、ＣＰＵ６０は、全ての原稿の画像データを図８と同様に圧縮する。
次に、図１１，１２，１３に示す例を参照して、ＣＰＵ６０が行う画像データの伸張について詳述する。尚、図１１は、図８で示した処理のように、ＣＰＵ６０が読取順序に従って圧縮した画像データを伸張する一例を示す。また、図１２，１３は、図９で示した処理のように、ＣＰＵ６０が読取順序とは逆順序に従って圧縮した画像データを伸張する一例を示す。
【００６５】
上述のＳ１２５，Ｓ１６０，Ｓ１６５において、ＣＰＵ６０は、読取順序に従って圧縮した画像データを図１１に示すように伸張する。
即ち、ＣＰＵ６０は、非圧縮である先頭ラインの画像データを所定のバッファ領域（ラインバッファ）に最初に上書きしたのち、他の各ラインの差分データを順次ラインバッファに上書きすることで各ラインの画像データを順次元どおりに伸張する。
【００６６】
一方、ＣＰＵ６０は、用紙の長さが原稿の長さよりも短い場合には、Ｓ１４０にて、先頭ラインから指定ライン直前までの各ラインの画像データを破棄する。この場合、図１２及び図１３に示すように、原稿の長さに対する用紙の長さの差分に対応するライン分の画像データを破棄して（ここでは４ライン分で、図１２に示す１〜４ラインを破棄）、図１３に示すように、指定ライン（ここでは５ライン目）の画像データをラインバッファに最初に上書きしたのち、指定ライン以降の各非指定ラインの差分データを順次ラインバッファに上書きすることで各ラインの画像データを順次元どおりに伸張する。これにより、必要とする画像データの抽出を迅速に行うことが可能となる。
４．第１実施形態における多機能機器の効果など
以上のように、多機能機器１では、画像データを圧縮する際に、先頭ラインの画像データだけでなく、指定ラインの画像データも非圧縮で記憶するため、指定ラインから画像データの伸張を開始することができる。
【００６７】
つまり、この多機能機器１によれば、用紙の長さに基づいて指定ラインの画像データから伸張を開始することで、用紙の長さに応じて適切に画像を形成することができる。
また、この多機能機器１では、用紙の長さが原稿の長さよりも短い場合に、長い領域におけるラインの画像データ及び差分データを破棄するため、余分な画像データに従って画像を形成してしまうことを防止できる。
【００６８】
また、この多機能機器１では、読取順序に従って画像を形成する際に、先頭ライン以外のラインの画像データについては差分データのみしか記憶しないため、その分多くの画像データを圧縮して記憶することができる。
【００６９】
また、この多機能機器１では、定型サイズの用紙の端部に対応して指定ラインが設定されているため、定型サイズの用紙に応じて適切に画像を形成できる。
尚、本第１実施形態では、複写処理のＳ１１５が本発明における第１のデータ圧縮手段及び第２のデータ圧縮手段に相当し、Ｓ１２５が本発明におけるデータ伸張手段に相当する。
【００７０】
また、本第１実施形態では、複写処理のＳ１３５が本発明における比較手段に相当し、Ｓ１４０が本発明におけるデータ破棄手段に相当する。
５．第１実施形態の変形例
ところで、本第１実施形態では、先頭ラインの画像データと、指定ラインの画像データとを非圧縮としていたが、単独で元の画像データに伸張可能なデータ形式（例えば、ランレングス圧縮形式）に圧縮してもよい。
【００７１】
また、本第１実施形態では、各種定型サイズの用紙の端部に応じて指定ラインが設定されていたが、原稿の一面における全ライン数よりも少ないライン数（例えば、１２８ライン）毎に指定ラインが設定されていてもよい。
【００７２】
この場合、画像データの圧縮率は低減するものの、用紙が定型外のサイズを有していても適切に画像を形成できる。
[第２実施形態]
本第２実施形態は、複写処理の流れが第１実施形態と部分的に異なるだけで、その他の部分については第１実施形態と全く同様である。
【００７３】
したがって、ここでは、第１実施形態の複写処理に対する相違点についてのみ説明する。
１．複写処理
図１４は、本第２実施形態における複写処理の流れを示すフローチャートである。
【００７４】
まず、本第２実施形態の複写処理のＳ１１６（第３データ圧縮処理）では、偶数頁の画像データを第１実施形態のＳ１１５と同様に圧縮する一方、奇数頁の画像データを以下のように圧縮する。
【００７５】
即ち、用紙へ最初に形成される先頭ライン（最後に読み取ったラインに対応）の画像データを圧縮せずにＲＡＭ６２に記憶する。そして、先頭ライン以降の各ラインの画像データについては、直後に読み取ったライン（直前に形成されるラインに対応）の画像データとの差分データのみをＲＡＭ６２に記憶する。
【００７６】
また、本第２実施形態の複写処理では、用紙の長さが原稿の長さよりも短いと判定すると（Ｓ１３５：Ｙｅｓ）、Ｓ１４０に代えて、Ｓ１４１を実行する。
即ち、Ｓ１４１では、給紙センサ６８が、第２頁目（偶数頁目）の画像が形成された用紙が当該給紙センサ６８を通過して、第１頁目（奇数頁目）の画像が形成される用紙の先端（即ち、再給紙部３３を経由して到来する用紙の先端）を検出するまでの間、奇数頁の先頭ラインの画像データと、他のラインの差分データとに基づいて、奇数頁の画像データを予め伸張しつつ、伸張した画像データのうち、用紙の長さよりも長い領域における各ラインの画像データを順次破棄する。
【００７７】
そして、本第２実施形態の複写処理のＳ１４５では、給紙センサ６８が用紙の先端を検出すると、不要部分が破棄された後の画像データに従って用紙へ画像を形成する。
２．第２実施形態における多機能機器の効果など
以上のように、本第２実施形態の多機能機器１は、第１実施形態の多機能機器１と同様の効果を発揮する。
【００７８】
しかも、先頭ライン以外のラインの画像データを全て圧縮するため、第１実施形態の多機能機器１よりも圧縮率が高くなる。
尚、本第２実施形態では、複写処理のＳ１１６が本発明におけるデータ圧縮手段に相当し、複写処理のＳ１３５が本発明における比較手段に相当し、複写処理のＳ１３５，Ｓ１４５が本発明における第１の画像形成手段に相当し、複写処理のＳ１３５，Ｓ１４１，Ｓ１４５が本発明における第２の画像形成手段に相当する。
[その他の実施形態]
以上、本発明の実施の形態について説明したが、本発明は、上記第１，第２実施形態に何ら限定されることはなく、本発明の技術的範囲に属する限り種々の形態をとり得ることはいうまでもない。
【００７９】
例えば、上記第１，２実施形態では、多機能機器に本発明を適用したが、その他の形態の画像形成装置（例えば、複写装置やプリンタ、ファクシミリ装置など）に本発明を適用してもよいし、パーソナルコンピュータと、画像形成装置とからなるシステムに本発明を適用してもよい。尚、このようなシステムに本発明を適用する場合、例えば、パーソナルコンピュータ側で画像データの圧縮及び伸張を行う一方、画像形成装置側で画像の読取や、画像の形成を行えばよい。
【図面の簡単な説明】
【００８０】
【図１】第１実施形態における多機能機器１の正面斜視図である。
【図２】スキャナ部３の正面断面図である。
【図３】フラットベッド部８の右断面図である。
【図４】プリンタ部４の右断面図である。
【図５】多機能機器１の制御系統の構成ブロック図である。
【図６】多機能機器１が、複数の原稿の片面にそれぞれ形成された画像を各用紙の両面に複写する動作の概要を示す説明図である。
【図７】第１実施形態における複写処理の流れを示すフローチャートである。
【図８】画像の読取順序と形成順序とが同一である場合における各ラインの画像データの圧縮例を示す説明図である。
【図９】画像の読取順序と形成順序とが逆である場合における各ラインの画像データの圧縮例を示す説明図である。
【図１０】各種定型サイズの用紙の端部の概要を示す説明図である。
【図１１】ＣＰＵ６０が読取順序に従って圧縮した画像データを伸張する一例を示す説明図である。
【図１２】ＣＰＵ６０が読取順序とは逆順序に従って圧縮した画像データを伸張する一例を示す説明図である。
【図１３】ＣＰＵ６０が読取順序とは逆順序に従って圧縮した画像データを伸張する別の一例を示す説明図である。
【図１４】第２実施形態における複写処理の流れを示すフローチャートである。
【符号の説明】
【００８１】
１…多機能機器、２…操作パネル、３…スキャナ部、４…プリンタ部、５…ディスプレイ、６…操作ボタン、７…カバー部、８…フラットベッド部、９…原稿供給トレイ、１０…原稿搬送装置、１１…原稿排出トレイ、１２…第１プラテンガラス、１３…第２プラテンガラス、１４…読取ヘッド、１５…光源、１６…光学素子、１７…イメージセンサ、１８…軸受部、１９…コロ、２０…ガイド軸、２１…第１ガイド部材、２２…第２ガイド部材、３０…給紙部、３１…画像形成部、３２…排紙部、３３…再給紙部、３７…給紙ローラ、３９…レジストローラ、４０…用紙、４１…露光器、４４…転写ローラ、４５…定着器、４６…感光体ドラム、４７…経路切替部材、４９…排紙ローラ、５０…用紙排出トレイ、５３…第１再給紙ローラ、５４…第２再給紙ローラ、６０…ＣＰＵ、６１…ＲＯＭ、６２…ＲＡＭ、６３…スキャナ制御部、６４…プリンタ制御部、６５…パネル制御部、６６…Ｉ／Ｆ部、６７…バス、６８…給紙センサ。
【図１】
2008091967.tif 000003
【図２】
2008091967.tif 000004
【図３】
2008091967.tif 000005
【図４】
2008091967.tif 000006
【図５】
2008091967.tif 000007
【図６】
2008091967.tif 000008
【図７】
2008091967.tif 000009
【図８】
2008091967.tif 000010
【図９】
2008091967.tif 000011
【図１０】
2008091967.tif 000012
【図１１】
2008091967.tif 000013
【図１２】
2008091967.tif 000014
【図１３】
2008091967.tif 000015
【図１４】
2008091967.tif 000016